(57)【要約】【課題】小型な装置でありながら圧縮空気を外気温度よりも低い露点まで除湿することのできるアフタークーラーを提供する。【解決手段】圧縮空気を冷却してドレン水を発生させて圧縮空気を除湿するアフタークーラーであって、圧縮空気の熱を放熱して冷却する熱交換部２と、熱交換部２から排出されるドレン水を油水分離する油水分離器３と、油水分離器３で油分の分離された処理水を圧縮空気と共に間欠的に排出する間欠作動型ドレントラップ４と、間欠作動型ドレントラップ４から排出される圧縮空気の圧力によって処理水および圧縮空気を熱交換部２に掛かるように放出する気液放出部６とを備えている。【選択図】図１
2009066504.tif 000002
【特許請求の範囲】
【請求項１】
圧縮空気を冷却してドレン水を発生させ除湿するアフタークーラーであって、圧縮空気の熱を放熱して冷却する熱交換部と、該熱交換部から排出されるドレン水を油水分離する油水分離器と、該油水分離器で油分の分離された処理水を圧縮空気と共に間欠的に排出する間欠作動型ドレントラップと、該間欠作動型ドレントラップから排出される該圧縮空気の圧力によって該処理水および該圧縮空気を該熱交換部に放出する気液放出部とを備えていること特徴とするアフタークーラー。
【請求項２】
前記熱交換部の下側に配置されて該熱交換部に放出された前記処理水の残滴を貯水する貯水槽と、エジェクタとを備え、前記間欠作動型ドレントラップから前記気液放出部に至る間に該エジェクタが配置されて、該エジェクタの駆動流口が該間欠作動型ドレントラップの出力側に接続され、該エジェクタの吐出口が該気液放出部側に接続され、該エジェクタの吸入口が該貯水槽の流出経路に接続されていることを特徴とする請求項１に記載のアフタークーラー。
【請求項３】
前記間欠作動型ドレントラップは、圧縮空気の圧力で作動するドレントラップであることを特徴とする請求項１に記載のアフタークーラー。
【請求項４】
前記熱交換部に外気を通風させる冷却ファンが備えられていることを特徴とする請求項１に記載のアフタークーラー。
【請求項５】
前記冷却ファンは、熱交換部に向けて送風する向きで配置され、該冷却ファンと前記熱交換器との間に前記気液放出部が放出するように配置されていることを特徴とする請求項４に記載のアフタークーラー。
【請求項６】
前記冷却ファンは、圧縮空気によって駆動されるエアモータ式のファンであることを特徴とする請求項４に記載のアフタークーラー。
【発明の詳細な説明】
【技術分野】
【０００１】
本発明は、圧縮空気を冷却してドレン水を発生させて除湿するアフタークーラーに関するものである。
【背景技術】
【０００２】
圧縮空気を動力源とする空圧機器には、水分による機器の錆付き・損傷防止などのために、乾燥した圧縮空気を供給する必要がある。
【０００３】
このため、空気圧縮機の後段に除湿装置を配置して、乾燥した圧縮空気を空圧機器に供給することが行われている。
【０００４】
圧縮空気の除湿装置には、膜式除湿器、吸着式除湿器、冷却式除湿器などがある。これらの除湿装置の負荷を軽減させるために、除湿装置の前段に配置して、空気圧縮機から圧送される高温の圧縮空気を冷却するものとしてアフタークーラーがある。アフタークーラーは簡易的な除湿装置としても用いられている。
【０００５】
圧縮空気の通流する管路に冷却ファンで外気を通風させて冷却する空冷式のアフタークーラーが、特許文献１に示されている。凝縮したドレン水は外部に排出される。
【０００６】
膜式除湿器は入気する圧縮空気の温度が高い場合に除湿性能が悪化する。膜式除湿器の前段にアフタークーラーを配置することが従来から行われ、例えば、特許文献２に示されている。
【０００７】
しかし、空冷式のアフタークーラーは外気によって冷却されるため、圧縮空気を外気温度までは冷却できない。通常では、外気温度よりも＋１０℃〜＋１５℃程度高い温度までしか冷却されない。また、外気温度は一定でないことから、圧縮空気の温度は安定しない。したがって、空冷式のアフタークーラーの後段には、露点が外気温度よりも高く、しかも露点の安定していない圧縮空気が供給される。このため、圧縮空気が十分に除湿されない場合や、後段の膜式除湿器が性能を十分に発揮できない場合がある。
【０００８】
アフタークーラーに水を散水して、圧縮空気を外気温度よりも低い露点まで除湿する圧縮空気の除湿装置が、特許文献３に示されている。この圧縮空気の除湿装置では、水槽から散水装置までポンプで水を揚水して、熱交換用の冷却チューブに散水している。また、冷却チューブから水槽内にドレン水を排出することで水が補給されている。
【０００９】
なお、一般的に、空気圧縮機では潤滑のために油が使用されている。このため、空気圧縮機から圧送される圧縮空気中には油分が含まる。通常、凝縮したドレン水にもこの油分が含まれている。
【００１０】
【特許文献１】特開２００３−１４８４２０号公報
【特許文献２】特開平１０−４３５３６号公報
【特許文献３】特開２００７−１６０１４８号公報
【発明の開示】
【発明が解決しようとする課題】
【００１１】
特許文献３に示された従来の装置では、散水される水は外気温度と同じ温度のため、水の潜熱で冷却される温度は乾湿温度計における湿球温度までしか冷却できないという課題がある。また、湿球温度近くまで冷却するためには、熱交換用の冷却チューブ（熱交換器）を十分に長くする必要がある。また、水槽の水を散水するためにポンプが必要である。これらのため、装置が大型化されてしまう。さらに、ドレン水が水槽に直接排出されているが、通常、油分がドレン水に含まれるため、油分を含む水を散水するのは問題がある。
【００１２】
本発明はこれらの課題を解決するためになされたもので、小型な装置でありながら圧縮空気を外気温度よりも低い露点まで除湿することのできるアフタークーラーを提供することを目的とする。
【課題を解決するための手段】
【００１３】
前記の目的を達成するためになされた、特許請求の範囲の請求項１に記載されたアフタークーラーは、圧縮空気を冷却してドレン水を発生させ除湿するアフタークーラーであって、圧縮空気の熱を放熱して冷却する熱交換部と、該熱交換部から排出されるドレン水を油水分離する油水分離器と、該油水分離器で油分の分離された処理水を圧縮空気と共に間欠的に排出する間欠作動型ドレントラップと、該間欠作動型ドレントラップから排出される該圧縮空気の圧力によって該処理水および該圧縮空気を該熱交換部に放出する気液放出部とを備えていること特徴とする。
【００１４】
請求項２に記載されたアフタークーラーは、請求項１に記載されたものであって、前記熱交換部の下側に配置されて該熱交換部に放出された前記処理水の残滴を貯水する貯水槽と、エジェクタとを備え、前記間欠作動型ドレントラップから前記気液放出部に至る間に該エジェクタが配置されて、該エジェクタの駆動流口が該間欠作動型ドレントラップの出力側に接続され、該エジェクタの吐出口が該気液放出部側に接続され、該エジェクタの吸入口が該貯水槽の流出経路に接続されていることを特徴とする。
【００１５】
請求項３に記載されたアフタークーラーは、請求項１に記載されたものであって、前記間欠作動型ドレントラップは、圧縮空気の圧力で作動するドレントラップであることを特徴とする。
【００１６】
請求項４に記載されたアフタークーラーは、請求項１に記載されたものであって、前記熱交換部に外気を通風させる冷却ファンが備えられていることを特徴とする。
【００１７】
請求項５に記載されたアフタークーラーは、請求項４に記載されたものであって、前記冷却ファンは、熱交換部に向けて送風する向きで配置され、該冷却ファンと前記熱交換器との間に前記気液放出部が放出するように配置されていることを特徴とする。
【００１８】
請求項６に記載されたアフタークーラーは、請求項４に記載されたものであって、前記冷却ファンは、圧縮空気によって駆動されるエアモータ式のファンであることを特徴とする。
【発明の効果】
【００１９】
請求項１記載のアフタークーラーによれば、熱交換部で圧縮空気を冷却して発生したドレン水から油水分離器で油分が分離され、油分の分離された処理水が圧縮空気と共に間欠作動型ドレントラップから間欠的に排出される。圧縮空気が間欠型ドレントラップから排出される際に、圧縮空気は大気圧近くまで急激に減圧され体積が膨張する。このため、断熱膨張によって温度が急激に低下する。排出された圧縮空気（排出空気）の温度低下によって処理水の温度も低下する。この温度は外気温度よりも十分に低温になる。これら低温の処理水および排出空気は、排出された圧縮空気の圧力で気液放出部から熱交換器に勢いよく放出される。このため、外気温度の水を熱交換器に放出するよりも、圧縮空気を一層低温に冷却することができる。したがって、圧縮空気を外気温度や湿球温度よりも低い露点まで除湿することができる。さらに、熱交換器の冷却効率が高くなるため、装置を小型化することができる。また、排出された圧縮空気の圧力で気液放出部から処理水や排気空気が放出されるため、ポンプが不要である。さらに、ドレン水（処理水）を熱交換器の冷却に用いているため、外部からの水の供給が不要であって簡単な装置とすることができる。また、ドレン水から油分を分離しているため、油分による問題は生じない。
【００２０】
請求項２記載のアフタークーラーによれば、熱交換部に放出された処理水の残滴が貯水槽に貯水され、間欠作動型ドレントラップから排出される処理水および圧縮空気がエジェクタを通流することで、貯水された貯留水がエジェクタの吸引口に吸引され、エジェクタから処理水および圧縮空気と共に吐出されて気液放出部から放出される。このため、熱交換部に放出された処理水の残滴が循環再利用される。したがって、熱交換器に放出される水が増加して、冷却効率を高めることができる。
【００２１】
請求項３記載のアフタークーラーによれば、間欠作動型ドレントラップが圧縮空気の圧力で作動する。このため、電力供給が不要な装置とすることができる。
【００２２】
請求項４記載のアフタークーラーによれば、冷却ファンが外気を熱交換部に通風させるため、熱交換器を一層冷却することができる。
【００２３】
請求項５記載のアフタークーラーによれば、熱交換器に向けて送風する冷却ファンと熱交換器との間に気液放出部が放出するように配置されている。このため、処理水や排出空気が熱交換器に向かって流れることを冷却ファンの送風で補われて、熱交換器に確実に掛けることができる。
【００２４】
請求項６記載のアフタークーラーによれば、冷却ファンが圧縮空気によって駆動される。このため、電力供給が不要な装置とすることができる。
【発明を実施するための好ましい形態】
【００２５】
以下、本発明の実施例を詳細に説明するが、本発明の範囲はこれらの実施例に限定されるものではない。
【００２６】
図１は本発明を適用するアフタークーラーの一実施形態の構成を示す正面図、図２はその側面図である。このアフタークーラーは、図１および図２に示すように、熱交換器２、油水分離器３、間欠作動型ドレントラップ４、エジェクタ５、気液放出部６、貯水槽７、逆止弁８、および冷却ファン９を備え、圧縮空気を冷却して圧縮空気中の水分を凝縮させ、ドレン水を発生させて除湿する。
【００２７】
熱交換器２は、放熱フィン（非図示）が取り付けられた、内部を圧縮空気の通流する、つづら折り状の空気管路で構成されている。この熱交換器２は、内部の圧縮空気の熱を空気配管および放熱フィンから放熱して冷却する。また、熱交換器２には、その底部にドレン排出口１９が形成されている。このドレン排出口１９は、空気管路に繋がっていて、空気管路の中で発生するドレン水および圧縮空気を排出する。
【００２８】
熱交換器２には、空気圧縮機（非図示）から圧送される圧縮空気が入気される配管が接続されている。また、熱交換器２には、圧縮空気で駆動される機器や膜式除湿器（共に非図示）などに熱交換器２から出力される圧縮空気を供給するための配管が接続されている。
【００２９】
油水分離器３は、ドレン水に含まれる油分をフィルタで油水分離して、油分を含まない清水である処理水を出力する。この油水分離器３は、ドレン水と共に圧縮空気が入力した場合、処理水と共に圧縮空気も出力する。油水分離器３は、その入力側が熱交換器２のドレン排出口１９に配管接続されている。
【００３０】
間欠作動型ドレントラップ４は、入気する圧縮空気の圧力を利用して作動して、処理水を圧縮空気と共に間欠的に排出する。一例として、圧縮空気の圧力で作動する間欠作動型ドレントラップ４を図３に示す。なお、図３には、作動状態を説明するために、状態の異なる間欠作動型ドレントラップ４を左図および右図に示している。
【００３１】
間欠作動型ドレントラップ４は、同図に示すように、その筐体ケースに、ドレン水入口４１、ドレン水出口４２、均圧穴４４，４５、減圧路４６、ボールＡ、キャップＢ、およびディスクキャップＣが形成されている。また、ディスクキャップＣの中には、上下に移動可能なディスク４３が備えられている。減圧路４６は、キャップＢからドレン水出口４２に連通する通路であって、その途中には、ニードルバルブ４７が装着されている。ドレン入口４１は、油水分離器３の出力側に配管接続されている。
【００３２】
エジェクタ５には、図４に示されるように、駆動流口３１、吸引口３２、吐出口３３、およびノズル口３４が形成されている。駆動流口３１は、間欠作動型ドレントラップ４のドレン水出口４２に配管接続されている。吸引口３２は、逆止弁８の出力側に配管接続されている。吐出口３３は、気液放出部６に配管接続されている。
【００３３】
気液放出部６は、図１に示すように、管路の一端が大気中に開放された開放端で形成されている。この開放端は、熱交換器２に向けられている。また、図２に示されるように、気液放出部６は、冷却ファン９と熱交換器２との間の上部に放出するように配置されている。
【００３４】
貯水槽７は、上面が開放された箱体に形成されて、熱交換器２および気液放出部６の下側に配置されている。この場合、貯水槽７は、熱交換器２および気液放出部６の下側の領域をカバーする大きさで形成されている。この貯水槽７には、貯水された貯留水を排出する貯留水排出口１１が形成されている。この貯留水排出口１１には、ストレーナ１２が装着されている。貯留水排出口１１は、逆止弁８の入力側に配管接続されている。なお、貯水槽７には、満水になった場合に貯留水を排出するための排出弁（非図示）も備えられている。
【００３５】
逆止弁８は、一方向にのみ流体を通流させる弁であって、貯水槽７から排出される貯留水をエジェクタ５側にのみ通流させ、エジェクタ５側から貯水槽７側には処理水や圧縮空気を通流させない。なお、貯水槽７の貯留水排出口１１から逆止弁８を経由してエジェクタ５の吸引口３２まで繋がる経路が、本発明における貯水槽の流出経路に相当する。
【００３６】
冷却ファン９は、圧縮空気によって駆動されるエアモータ式のファンであって、図２に示すように、圧縮空気の入気によって駆動されて軸が回転するエアモータ１５、および軸に取り付けられた羽根１６で構成されている。エアモータ１５は、その入気口３６に、図示しないが例えばアフタークーラーから出力される圧縮空気の一部が分岐されて入気される。エアモータ１５の排気口３７には、排気管（非図示）が接続されて圧縮空気が排気される。この冷却ファン９は、熱交換器２に送風する向きで配置されている。
【００３７】
次に、このアフタークーラーの動作について、図１〜４を参照して説明する。
【００３８】
図外の空気圧縮機から高温高圧の圧縮空気が圧送されると、熱交換器２を圧縮空気が通流して出力される。出力された圧縮空気の一部が冷却ファン９の入気口３６に入気して、エアモータ１５の軸が回転し、羽根１６が回転する。入気口３６から入気した圧縮空気は、排気口３７から排気される。羽根１６の回転により、熱交換器２に向けて外気が送風される。この外気の送風により、熱交換器２が冷却される。熱交換器２の冷却により、熱交換器２内の圧縮空気は露点よりも低い温度に冷却されて、圧縮空気中の水分は熱交換器２内で凝縮して、ドレン水が発生し始める。
【００３９】
熱交換器２で発生したドレン水は、底部のドレン排出口１９から圧縮空気と共に排出される。排出されたドレン水は油水分離器３で油分が分離され、清水となった処理水が圧縮空気と共に油水分離器３から排出される。
【００４０】
油水分離器３から排出された処理水および圧縮空気は、間欠作動型ドレントラップ４のドレン水入口４１に入り、ボールＡに流れ込む。図３に示す黒矢印は、処理水および圧縮空気の流れを示す。
【００４１】
まず、図３の左図に示すように、間欠作動型ドレントラップ４では、ボールＡに流れ込んだ処理水および圧縮空気が、圧縮空気の圧力でディスク４３を押し上げる。ディスク４３が押し上げられたことにより、ボールＡからドレン水出口４２まで繋がる通路が開き、処理水および圧縮空気がドレン水出口４２から排出される。また、図３の左図に破線で示すように、ディスク４３が押し上げられたことにより、均圧穴４４からキャップＢ内に処理水および圧縮空気が流れ込む。このため、ボールＡ内の圧力とキャップＢ内の圧力は等しくなる。キャップＢとディスクキャップＣとは、均圧穴４５で連通しているので、ボールＡ内の圧力とディスクキャップＣ内の圧力とは等しくなる。
【００４２】
ボールＡ内の処理水がすべて排出されて圧縮空気だけが排出される状態になると、ドレン水出口４２は大気に連通しているので、ボールＡ内の圧力が一時的に下がり、ディスクキャップＣ内の圧力でディスク４３が下方に押し下げられる。このため、図３の右図のように、ボールＡからドレン水出口４２に繋がる通路がディスク４３によって閉じられて圧縮空気の排出が停止される。
【００４３】
キャップＢからドレン水出口４２までは減圧路４６によって連通されている。この減圧路４６の途中には、その通過量をごく僅かに制限するニードルバルブ４７が装着されている。このため、キャップＢ内の圧縮空気や処理水が、減圧路４６を通って僅かずつドレン水出口４２に排出される。これにより、キャップＢ内の圧力は僅かずつ徐々に低くなる。キャップＢは均圧穴４５でディスクキャップＣに連通しているため、ディスクキャップＣ内の圧力も僅かずつ徐々に低くなる。したがって、ボールＡ内の圧力よりもディスクキャップＣ内の圧力の方が僅かずつ徐々に低くなる。
【００４４】
処理水の排出から所定時間（この例では、２秒程度）の経過後に、ボールＡ内の圧力とディスクキャップＣ内の圧力との圧力差によって、ディスク４３が押し上げられ、再び図３の左図のようにボールＡからドレン水出口４２に繋がる通路が開く。このため、再度、処理水および圧縮空気が排出される。処理水の排出が終わると、再び図３の右図のようにディスク４３が下がり、ボールＡからドレン水出口４２に繋がる通路が閉じる。間欠作動型ドレントラップ４は、この動作を繰り返す。このため、間欠作動型ドレントラップ４から、処理水および圧縮空気が間欠的に排出される。
【００４５】
ドレン水出口４２はエジェクタ５および気液放出部６を介して大気中に開放されている。このため、圧縮空気は、ドレン水出口４２から排出される際に、大気圧近くまで急激に減圧され体積が膨張する。したがって、断熱膨張によって温度が急激に低下する。排出された圧縮空気（排出空気）の温度低下によって処理水の温度も低下する。この温度は外気温度よりも十分に低温になる。例えば、理論的には、圧力０．６９メガパスカルで温度５０℃の圧縮空気は、大気圧まで減圧されることにより、−９４℃まで温度低下する。
【００４６】
間欠作動型ドレントラップ４のドレン水出口４２から排出された低温の処理水および排出空気は、排出された圧縮空気の圧力でエジェクタ５を通流して、気液放出部６から放出されて、熱交換器２に掛かる。熱交換器２では、低温の処理水および排気空気が掛かることで、冷却ファン９からの外気の送風だけで冷却されているよりも圧縮空気が低温まで冷却される。なお、この温度は、外気温度と同じ温度の水の潜熱で冷却するよりも、処理水の温度の方が低温のため、一層低温まで冷却される。この際に、熱交換器２に掛けられた処理水によって、熱交換器２に溜まった塵埃が洗い流される。また、冷却ファン９と熱交換器２との間に放出することで、処理水や排出空気が熱交換器２に向かって流れることが冷却ファン９の送風で補われて、熱交換器２に確実に掛かる。さらに、送風によって熱交換器２に掛かった処理水の蒸発が促進される。
【００４７】
熱交換器２に放出された処理水のうちの蒸発しなかった残滴は、貯水槽７に滴下して貯水される。貯水槽７に貯水された貯留水は、貯留水排出口１１に装着されたストレーナ１２で塵埃が除去され、逆止弁８を通り、エジェクタ５の吸引口３２に到達する。
【００４８】
間欠作動型ドレントラップ４が排出した際に、排出された処理水を含む圧縮空気は、エジェクタ５の駆動流口３１から流入して、エジェクタ５内のノズル口３４から噴出する。この際に、吸引口３２の圧力が低くなり、吸引口３２に到達していた貯留水が吸引され、処理水および排気空気と混合される。処理水および排気空気は低温のため、混合された貯留水も低温になる。混合された貯留水、処理水および排気空気はエジェクタ５の吐出口３３から吐出され、気液放出部６から放出される。このため、放出された処理水の残滴が循環再利用される。
【００４９】
間欠作動型ドレントラップ４は２秒ごとにドレン水および排気空気を排出するため、気液放出部６から２秒ごとに熱交換器２に低温の処理水、貯留水、および排気空気が放出される。
【００５０】
このように、このアフタークーラーによれば、熱交換部２で圧縮空気を冷却して発生したドレン水から油水分離器３で油分が分離され、油分の分離された処理水が圧縮空気と共に間欠作動型ドレントラップ４から間欠的に排出される。圧縮空気が間欠型ドレントラップ４から排出される際に、圧縮空気は断熱膨張によって温度が急激に低下する。排出された圧縮空気の温度低下によって処理水の温度も低下する。この温度は外気温度よりも十分に低温になる。これら低温の処理水および排出空気が排出された圧縮空気の圧力で気液放出部６から熱交換器２に勢いよく放出される。このため、外気温度の水を熱交換器２に放出するよりも、圧縮空気を一層低温に冷却することができる。したがって、圧縮空気を外気温度やさらに湿球温度よりも低い露点まで除湿することができる。さらに、熱交換器２の冷却効率が高くなるため、装置を小型化することができる。また、圧縮空気の圧力で気液放出部６から処理水や排気空気が放出されるため、水を汲み上げるためのポンプが不要である。さらに、ドレン水（処理水）を熱交換器２の冷却に用いているため、外部から水の供給が不要であって簡単な装置とすることができる。さらに、ドレン水から油分を分離して使用しているため、油分による問題は生じない。
【００５１】
また、このアフタークーラーによれば、熱交換部２に放出された処理水の残滴が貯水槽７に貯水され、間欠作動型ドレントラップ４から排出される処理水および排気空気がエジェクタ５を通流することで、貯水された貯留水がエジェクタ５の吸引口３１に吸引され、処理水および排気空気と共にエジェクタ５の吐出口３３から吐出されて気液放出部６から放出される。このため、熱交換部６に放出された処理水の残滴が循環再利用される。したがって、熱交換器２に放出される水が増加して、冷却効率を高めることができる。
【００５２】
また、このアフタークーラーによれば、冷却ファン９が外気を熱交換部２に通風させるため、熱交換器２を一層冷却することができる。
【００５３】
また、このアフタークーラーによれば、間欠作動型ドレントラップ４が圧縮空気の圧力を利用して作動する。また、冷却ファン９が圧縮空気によって駆動される。このため、電力供給が不要な装置とすることができる。
【００５４】
なお、本発明を適用するアフタークーラーでは、冷却ファン９を備えた例について説明したが、冷却ファン９を備えずに、熱交換器２の放熱フィンおよび気液放出部６からの処理水および排気空気の放出による冷却だけで熱交換器２を冷却する構成を採用することもできる。また、貯水槽７およびエジェクタ５を備えた例について説明したが、貯水槽７およびエジェクタ５を備えない構成を採用することもできる。この場合、放出した処理水の残滴は、外部に排出する構成としてもよく、また、残滴が発生しないように熱交換器２ですべて蒸発させる構成としてもよい。
【００５５】
また、冷却ファン９を圧縮空気で駆動する例について説明したが、電気式の冷却ファンで構成することもできる。また、間欠作動型ドレントラップ４を圧縮空気の圧力を利用して処理水を排出する例について説明したが、処理水の排出と共に圧縮空気を排出する弁であれば各種の弁を採用することができる。例えば、フロート式のドレントラップや電気で駆動される電磁弁式のドレントラップを採用することもできる。また、図３に示した間欠作動型ドレントラップ４の構成と異なる構成の、圧縮空気を利用して作動するドレントラップを用いることもできる。
【００５６】
さらに、冷却ファン９および気液放出部６を熱交換器２の横方向に配置した例について説明したが、熱交換器２の上側に、上から順に冷却ファン９、気液放出部６および熱交換器２で配置する構成を採用することもできる。
【図面の簡単な説明】
【００５７】
【図１】本発明を適用するアフタークーラーの一実施形態を示す正面図である。
【図２】本発明を適用するアフタークーラー一実施形態を示す側面図である。
【図３】本発明を適用するアフタークーラーに備えられた間欠作動型ドレントラップの作動状態を示す断面図である。
【図４】本発明を適用するアフタークーラーに備えられたエジェクタの断面図である。
【符号の説明】
【００５８】
２は熱交換器、３は油水分離器、４は間欠作動型ドレントラップ、５はエジェクタ、６は気液放出部、７は貯水槽、８は逆止弁、９は冷却ファン、１１は貯留水排出口、１２はストレーナ、１５はエアモータ、１６は羽根、１９はドレン排出口、３１は駆動流口、３２は吸引口、３３は吐出口、３４はノズル口、３６は入気口、３７は排気口、４１はドレン水入口、４２はドレン水出口、４３はディスク、４４，４５は均圧穴、４６は減圧路、４７はニードルバルブ、Ａはボール、Ｂはキャップ、Ｃはディスクキャップである。
【図１】
2009066504.tif 000003
【図２】
2009066504.tif 000004
【図３】
2009066504.tif 000005
【図４】
2009066504.tif 000006